(57)【要約】【課題】  簡素な構成で、２次元座標上の各位置に向けて光ビームを出射可能な光ビーム出射装置、および画像形成装置を提供すること。【解決手段】  光ビーム出射装置１において、光偏向機構４０は、入射した光ビームをその入射位置により２次元座標上の異なる位置に向けて出射可能な光偏向領域３２を備えた透過型光偏向ディスク３０と、この透過型光偏向ディスク３０を回転駆動して光源装置１０から出射された光ビームの透過型光偏向ディスク３０への入射位置を切り換える駆動機構とを有している。【選択図】  図２
2007024928.tif 000002
【特許請求の範囲】
【請求項１】
発光源を備えた光源装置と、該光源装置から出射された光ビームを各方向に出射する光偏向機構とを有する光ビーム出射装置において、
前記光偏向機構は、入射した光ビームをその入射位置により２次元座標上の異なる位置に向けて偏向する偏向面を備えた光偏向部材と、該光偏向部材を駆動して前記光源装置から出射された光ビームの前記光偏向部材への入射位置を切り換える駆動機構とを有することを特徴とする光ビーム出射装置。
【請求項２】
請求項１において、前記光偏向部材は、前記偏向面として偏向ディスク面を備えた光偏向ディスクであり、
前記駆動機構は、前記光偏向ディスクを回転駆動して前記光源装置から出射された光ビームの前記光偏向部材への入射位置を切り換える回転駆動機構であることを特徴とする光ビーム出射装置。
【請求項３】
請求項２において、前記光偏向ディスクは、入射した光ビームが透過して出射していく方向がその入射位置により相違する透過型光偏向ディスクであることを特徴とする光ビーム出射装置。
【請求項４】
請求項３において、前記光偏向ディスクには、少なくとも一方のディスク面に反射防止膜が形成されていることを特徴とする光ビーム出射装置。
【請求項５】
請求項３または４において、前記偏向ディスク面には、半径方向および周方向のうちの少なくとも一方に傾斜して入射された光ビームを所定方向に屈折する傾斜面が形成されていることを特徴とする光ビーム出射装置。
【請求項６】
請求項５において、前記光偏向ディスクの一方のディスク面のみが前記偏向ディスク面として形成されていることを特徴とする光ビーム出射装置。
【請求項７】
請求項５または６において、前記傾斜面が前記偏向ディスク面となす傾斜角度をθｗ、前記透過型光偏向ディスクから出射される光ビームが前記偏向ディスク面の法線となす出射角度をθｓ、前記透過型光偏向ディスクの屈折率をｎとしたとき、
ｓｉｎ（θｗ＋θｓ）＝ｎ・ｓｉｎθｗ
の関係を満足するように、前記傾斜面が形成されていることを特徴とする光ビーム出射装置。
【請求項８】
請求項５ないし７のいずれかにおいて、前記傾斜面は、周方向に分割された複数の光偏向領域毎に異なる傾斜角度で形成されていることを特徴とする光ビーム出射装置。
【請求項９】
請求項８において、周方向に並ぶ前記複数の光偏向領域では、前記傾斜面の傾斜角度が漸増あるいは漸減していることを特徴とする光ビーム出射装置。
【請求項１０】
請求項５ないし７のいずれかにおいて、前記傾斜面は、周方向で傾斜角度が連続的に変化する連続面として形成されていることを特徴とする光ビーム出射装置。
【請求項１１】
請求項２ないし１０のいずれかにおいて、前記光偏向ディスクには、入射した光ビームをその入射位置により異なる方向に向けて出射可能なトラックが１つ形成されていることを特徴とする光ビーム出射装置。
【請求項１２】
請求項２ないし１１のいずれかにおいて、前記光源装置は１つであり、当該光源装置は、前記トラックの周方向の１箇所に光ビームを照射することを特徴とする光ビーム出射装置。
【請求項１３】
請求項２ないし１１のいずれかにおいて、前記光源装置は、前記トラックの周方向の複数箇所の各々に光ビームを照射するように複数、構成されていることを特徴とする光ビーム出射装置。
【請求項１４】
請求項２ないし１１のいずれかにおいて、前記光源装置は１つであり、当該光源装置は、前記トラックの周方向の複数箇所の各々に光ビームを照射するように、前記発光源からの出射光を前記トラックの周方向の複数箇所の各々に向けて分離する光路分離素子を備えていることを特徴とする光ビーム出射装置。
【請求項１５】
請求項２ないし１１のいずれかにおいて、前記光源装置は１つであり、当該光源装置から前記トラックの周方向の複数箇所の各々に光ビームを照射するように、前記光源装置を回転駆動あるいは直進駆動する光源駆動機構を有することを特徴とする光ビーム出射装置。
【請求項１６】
請求項２ないし１０のいずれかにおいて、前記光偏向ディスクには、入射した光ビームをその入射位置により異なる位置に向けて出射可能なトラックが複数、同心状に形成され、
前記光源装置は、前記複数のトラックの各々に光ビームを照射するように複数、構成されていることを特徴とする光ビーム出射装置。
【請求項１７】
請求項２ないし１０のいずれかにおいて、前記光偏向ディスクには、入射した光ビームをその入射位置により異なる位置に向けて出射可能なトラックが複数、同心状に形成され、
前記光源装置は１つであり、当該光源装置は、前記複数のトラックの各々に光ビームを照射するように、前記発光源からの出射光を前記複数のトラックの各々に向けて分離する光路分離素子を備えていることを特徴とする光ビーム出射装置。
【請求項１８】
請求項２ないし１０のいずれかにおいて、前記光偏向ディスクには、入射した光ビームをその入射位置により異なる位置に向けて出射可能なトラックが複数、同心状に形成され、
前記光源装置は１つであり、当該光源装置から前記複数のトラックの各々に向けて光ビームを照射するように、前記光源装置を回転駆動あるいは直進駆動する光源駆動機構を有することを特徴とする光ビーム出射装置。
【請求項１９】
請求項２ないし１８のいずれかにおいて、前記偏向ディスク面は、前記光偏向ディスクからの前記光ビームの出射パターンに応じて構成されていることを特徴とする光ビーム出射装置。
【請求項２０】
請求項２ないし１８のいずれかにおいて、前記偏向ディスク面は、入射した光ビームをマトリクス状に配置された各位置に向けて出射可能に構成され、
前記光源装置は、前記光偏向ディスクからの前記光ビームの出射パターンに応じたタイミングで光ビームを出射することにより、前記偏向ディスク面の所定位置に前記光ビームを選択的に入射させることを特徴とする光ビーム出射装置。
【請求項２１】
請求項２ないし２０のいずれかにおいて、前記光源装置は、前記発光源と、該発光源から出射された光ビームをコリメート光として前記偏向ディスク面に導くコリメートレンズとを備えていることを特徴とする光ビーム出射装置。
【請求項２２】
請求項２ないし２０のいずれかにおいて、前記光源装置は、前記発光源と、該発光源から出射された光ビームの垂直方向、水平方向、あるいは垂直方向および水平方向の両方で収束光として前記偏向ディスク面に導く集光レンズとを備えていることを特徴とする光ビーム出射装置。
【請求項２３】
請求項２２において、前記収束光は、前記発光源から出射された光ビームの垂直方向、水平方向、あるいは垂直方向および水平方向の両方において前記偏向ディスク面あるいは該偏向ディスク面近傍に焦点を有していることを特徴とする光ビーム出射装置。
【請求項２４】
請求項２ないし２３のいずれかにおいて、前記光ビームは、前記偏向ディスク面での周方向におけるビームサイズが３ｍｍ以下であることを特徴とする光ビーム出射装置。
【請求項２５】
請求項２ないし２３のいずれかにおいて、前記光ビームは、前記偏向ディスク面での周方向および半径方向のビームサイズがいずれも３ｍｍ以下であることを特徴とする光ビーム出射装置。
【請求項２６】
請求項２ないし２５のいずれかにおいて、前記光偏向ディスクは、樹脂製であることを特徴とする光ビーム出射装置。
【請求項２７】
請求項２ないし２６のいずれかにおいて、前記光偏向ディスクの回転位置を検出するための位置検出手段を有しており、当該位置検出手段の検出結果に基づき、前記光偏向ディスクの回転が制御されることを特徴とする光ビーム出射装置。
【請求項２８】
請求項１ないし２７のいずれかに記載の光ビーム出射装置を備えた画像形成装置であって、前記光偏向機構によって出射された光ビームにより画像を形成することを特徴とする画像形成装置。
【発明の詳細な説明】
【技術分野】
【０００１】
本発明は、光源装置から出射された光ビームを所定の方向に出射する光ビーム出射装置、およびこの光ビームにより画像を形成する画像形成装置に関するものである。
【背景技術】
【０００２】
従来から、光ビーム出射装置は、レーザプリンタ、デジタル複写機、ファクシミリ等の画像形成装置や、バーコード読取装置、車間距離測定装置などに幅広く利用されている。ここで、画像形成装置に用いられる光ビーム出射装置としては、レーザダイオードなどのレーザ発光素子から出射された光ビームをポリゴンミラーで周期的に偏向させ、感光体などの被走査面上を反復走査させる。これに対して、測定装置では、光ビーム出射装置から出射された走査ビームが被照射物で反射した反射ビームを光検出器で受光することにより情報を検出している。このとき、反射ビームは、ポリゴンミラーによる走査角度に対応する入射角度で光検出器に向かう。なお、光偏向素子としては、ポリゴンミラーを回転させる以外に、反射板を揺動させることにより、光ビームを一定の角度範囲で走査する方法もある（特許文献１、２参照）。
【特許文献１】特開平１１−１４９２２号公報
【特許文献２】特開平１１−３２６８０６号公報
【発明の開示】
【発明が解決しようとする課題】
【０００３】
しかしながら、従来の光ビーム出射装置においては、光ビームを主走査方向のみの１次元走査であるため、出射された光ビームを用いて２次元画像を形成するには、別途、副走査方向への駆動機構を設ける必要がある。このため、従来の画像形成装置は、構造が複雑であり、小型化や軽量化を図ることができないという問題点がある。
【０００４】
以上の問題点に鑑みて、本発明の課題は、簡素な構成で、２次元座標上の各位置に向けて光ビームを出射可能な光ビーム出射装置、および画像形成装置を提供することにある。
【課題を解決するための手段】
【０００５】
上記の課題を解決するために、本発明では、発光源を備えた光源装置と、該光源装置から出射された光ビームを各方向に出射する光偏向機構とを有する光ビーム出射装置において、前記光偏向機構は、入射した光ビームをその入射位置により２次元座標上の異なる位置に向けて偏向する偏向面を備えた光偏向部材と、該光偏向部材を駆動して前記光源装置から出射された光ビームの前記光偏向部材への入射位置を切り換える駆動機構とを有することを特徴とする。
【０００６】
本発明では、駆動機構によって光偏向部材を駆動すると、光偏向部材への光ビームの入射位置が変るため、光偏向部材からは光ビームが２次元座標上の異なる位置に向けて出射される。このため、副走査方向への駆動機構を設けなくても、光ビームを２次元座標上の所定位置に出射できる。
【０００７】
本発明において、前記光偏向部材は、例えば、前記偏向面として偏向ディスク面を備えた光偏向ディスクであり、この場合、前記駆動機構は、前記光偏向ディスクを回転駆動して前記光源装置から出射された光ビームの前記光偏向部材への入射位置を切り換える回転駆動機構である。このように構成すると、光偏向ディスクは、それを配置したスペース内で回転するため、光偏向部材周辺のスペースが狭くてよい。また、光ビームを繰り返し出射する場合には、光偏向ディスクを回転し続ければよいので、装置の簡素化を図ることができる。
【０００８】
本発明において、前記光偏向ディスクは、入射した光ビームが透過して出射していく方向がその入射位置により相違する透過型光偏向ディスクであることが好ましい。このように構成した場合には、屈折作用を利用することになり、屈折角は、入射する光ビームの波長の温度変化の影響をほとんど受けない。また、透過型光偏向ディスクは、回転ぶれや面ぶれが生じても屈折角はほとんど変化しない。さらに、透過型光偏向ディスクは温度変動があっても、温度変動による透過率の変動は、回折効率の変動に比してわずかである。従って、温度変動などの影響をあまり受けることなく、安定した強度の光ビームを各方向に出射することができる。
【０００９】
本発明において、前記光偏向ディスクには、少なくとも一方のディスク面に反射防止膜が形成されていることが好ましい。このように構成すると、光量損失を低く抑えることができる。
【００１０】
本発明において、前記偏向ディスク面には、半径方向および周方向のうちの少なくとも一方に傾斜して入射された光ビームを所定方向に屈折する傾斜面が形成されていることが好ましい。このように構成すると、複雑な構成の屈折面を形成する必要がない。
【００１１】
本発明において、前記光偏向ディスクの一方のディスク面のみが前記偏向ディスク面として形成されていることが好ましい。このように構成すると、光偏向ディスクを効率よく製造することができるので、光偏向ディスクを安価に製造できる。
【００１２】
本発明において、前記傾斜面が前記偏向ディスク面となす傾斜角度をθｗ、前記透過型光偏向ディスクから出射される光ビームが前記偏向ディスク面の法線となす出射角度をθｓ、前記透過型光偏向ディスクの屈折率をｎとしたとき、
ｓｉｎ（θｗ＋θｓ）＝ｎ・ｓｉｎθｗ
の関係を満足するように、前記傾斜面が形成されている。
【００１３】
本発明において、前記傾斜面は、例えば、周方向に分割された複数の光偏向領域毎に異なる傾斜角度で形成されている。
【００１４】
本発明において、周方向に並ぶ前記複数の光偏向領域では、前記傾斜面の傾斜角度が漸増あるいは漸減していることが好ましい。
【００１５】
本発明において、前記傾斜面は、周方向で傾斜角度が連続的に変化する連続面として形成されている構成を採用してもよい。このように構成すると、分解能を向上することができる。
【００１６】
本発明において、前記光偏向ディスクには、入射した光ビームをその入射位置により異なる方向に向けて出射可能なトラックが１つ形成されている構成を採用することができる。
【００１７】
本発明において、前記光源装置は１つであり、当該光源装置は、前記トラックの周方向の１箇所に光ビームを照射する構成を採用することができる。
【００１８】
また、前記光源装置は、前記トラックの周方向の複数箇所の各々に光ビームを照射するように複数、構成されている構成を採用してもよい。
【００１９】
また、前記光源装置は１つであり、当該光源装置は、前記トラックの周方向の複数箇所の各々に光ビームを照射するように、前記発光源からの出射光を前記トラックの周方向の複数箇所の各々に向けて分離する光路分離素子を備えている構成を採用してもよい。
【００２０】
また、前記光源装置は１つであり、当該光源装置から前記トラックの周方向の複数箇所の各々に光ビームを照射するように、前記光源装置を回転駆動あるいは直進駆動する光源駆動機構を有する構成を採用してもよい。
【００２１】
本発明において、前記光偏向ディスクには、入射した光ビームをその入射位置により異なる位置に向けて出射可能なトラックが複数、同心状に形成され、前記光源装置は、前記複数のトラックの各々に光ビームを照射するように複数、構成されていることが好ましい。このように構成すると、１枚の光偏向ディスクで多数の方向に光ビームを出射することができる。
【００２２】
また、前記光偏向ディスクには、入射した光ビームをその入射位置により異なる位置に向けて出射可能なトラックが複数、同心状に形成されている場合、前記光源装置は１つであり、かつ、当該光源装置は、前記複数のトラックの各々に光ビームを照射するように、前記発光源からの出射光を前記複数のトラックの各々に向けて分離する光路分離素子を備えている構成を採用してもよい。
【００２３】
また、前記光偏向ディスクには、入射した光ビームをその入射位置により異なる位置に向けて出射可能なトラックが複数、同心状に形成されている場合、前記光源装置は１つであり、かつ、当該光源装置から前記複数のトラックの各々に向けて光ビームを照射するように、前記光源装置を回転駆動あるいは直進駆動する光源駆動機構を有する構成を採用してもよい。
【００２４】
本発明において、前記偏向ディスク面は、前記光ビームの出射パターンに応じて形成されている構成を採用することができる。すなわち、予め、形成すべき画像が定まっているのであれば、それに応じた偏向ディスク面を形成すればよい。
【００２５】
本発明において、前記偏向ディスク面は、入射した光ビームをマトリクス状に配置された各位置に向けて出射可能に構成され、前記光源装置は、前記光ビームの出射パターンに応じたタイミングで光ビームを出射することにより、前記偏向ディスク面の所定位置に前記光ビームが選択的に入射する構成を採用してもよい。このよう構成すると、光源装置が光ビームを出射するタイミングを変えるだけで、異なる態様の画像を表示できるなどの利点がある。
【００２６】
本発明において、前記光源装置は、前記発光源と、該発光源から出射された光ビームをコリメート光として前記偏向ディスク面に導くコリメートレンズとを備えていることが好ましい。このように構成すると、光源装置と光偏向ディスクの距離や、光偏向ディスクと光ビームの被照射面との距離に関わらず、安定した光ビームを各方向に出射することができる。
【００２７】
本発明において、前記光源装置は、前記発光源と、該発光源から出射された光ビームの垂直方向、水平方向、あるいは垂直方向および水平方向の両方で収束光として前記偏向ディスク面に導く集光レンズとを備えている構成を採用してもよい。この場合、前記収束光は、前記発光源から出射された光ビームの垂直方向、水平方向、あるいは垂直方向および水平方向の両方において前記偏向ディスク面あるいは該偏向ディスク面近傍に焦点を有していることが好ましい。
【００２８】
本発明において、前記光ビームは、前記偏向ディスク面での周方向におけるビームサイズが３ｍｍ以下であることが好ましい。このように構成すると、分解能を向上することができる。また、同一の分解能を得る場合には、前記偏向ディスクの小型化を図ることができる。
【００２９】
本発明において、前記光ビームは、前記偏向ディスク面での周方向および半径方向のビームサイズがいずれも３ｍｍ以下であることが好ましい。このように構成すると、分解能を向上することができる。また、同一の分解能を得る場合には、前記偏向ディスクの小型化を図ることができる。
【００３０】
本発明において、前記光偏向ディスクは、樹脂製であることが好ましい。このように構成すると、安価に製造でき、かつ、軽量化を図ることができる。
【００３１】
本発明において、前記光偏向ディスクの回転位置を検出するための位置検出手段を有しており、当該位置検出手段の検出結果に基づき、前記光偏向ディスクの回転が制御されることが好ましい。
【００３２】
本発明を適用した光ビーム出射装置は、例えば、画像形成装置に用いられる。この場合、副走査機構などを用いなくても、前記光偏向機構から出射された光ビームにより２次元画像を形成することができる。
【発明の効果】
【００３３】
本発明では、駆動機構によって光偏向部材を駆動すると、光偏向部材への光ビームの入射位置が変るため、光偏向部材からは光ビームが２次元座標上の異なる位置に向けて出射される。このため、副走査方向への駆動機構を設けなくても、光ビームを２次元座標上の所定位置に出射できる。
【発明を実施するための最良の形態】
【００３４】
以下、本発明を実施するための最良の形態を図面に基づいて説明する。
【００３５】
［実施の形態１］
（全体構成）
図１は、本発明の実施の形態１に係る光ビーム出射装置の概略構成を示す斜視図である。図２は、図１に示す光ビーム出射装置の概略構成を模式的に示す斜視図である。
【００３６】
図１において、本形態の光ビーム出射装置１は、光源装置１０と、この光源装置１０から出射された光ビームを光偏向部材としての透過型光偏向ディスク３０によって所定の方向に偏向させる光偏向機構４０とを有している。
【００３７】
光偏向機構４０は、透過型光偏向ディスク３０（光偏向部材）と、この透過型光偏向ディスク３０を軸線周りに回転させるモータ５０を備えた回転駆動機構（駆動機構）とを有している。モータ５０は、高速回転可能なブラシレスモータであり、例えば１００００（ｒｐｍ）程度の回転が可能に構成されている。透過型光偏向ディスク３０は、中心孔３１が駆動モータ５０の回転子に固定され、駆動モータ５０の軸（透過型光偏向ディスク３０の中心）を中心に回転駆動可能に構成されている。駆動モータ５０はブラシレスモータには限定されず、ステッピングモータなど、種々のモータを適用することができる。
【００３８】
光ビーム出射装置１は、光源装置１０から出射された光ビームを透過型光偏向ディスク３０へ向けて立ち上げるミラー５と、透過型光偏向ディスク３０の回転位置を検出する位置検出手段としての光学式エンコーダ６とを備えている。光源装置１０からは、透過型光偏向ディスク３０のディスク面に対して平行方向に向かって光ビームが出射されるようになっている。ミラー５は、全反射ミラーであり、光源装置１０から出射された光ビームを駆動モータ５０の軸方向に立ち上げて透過型光偏向ディスク３０のディスク面に対して略直交する方向から入射させるように配置されている。駆動モータ５０、ミラー５、および光学式エンコーダ６はフレーム８に直接配設され、光源装置１０はホルダ９を介してフレーム８に配設されている。
【００３９】
光学式エンコーダ６は、駆動モータ５０の軸方向で透過型光偏向ディスク３０と対向するように配設されている。透過型光偏向ディスク３０において、光学式エンコーダ６と対向する面には格子（図示せず）が形成されており、この格子を光学式エンコーダ６が検出することで、透過型光偏向ディスク３０の回転位置の検出が行われる。本形態の光ビーム出射装置１では、光学式エンコーダ６の検出結果に基づいて、駆動モータ５０の回転動作、および光源装置１０の発光源の発光動作が制御されるようになっている。なお、透過型光偏向ディスク３０の角度位置の検出には、光学式エンコーダ６に代えて、フォトカプラや磁気センサを用いてもよい。また、ミラー５を省略して光源装置１０から出射された光を直接、透過型光偏向ディスク３０に導いてもよい。
【００４０】
このように構成した光ビーム出射装置１は概ね、図２に示すように表される。図２に示すように、光源装置１０は、レーザダイオードなどからなる発光源２０と、この発光源２０から出射された光ビームをコリメート光として透過型光偏向ディスク３０に導くコリメートレンズ２５とを備えている。なお、光源装置１０は、絞り部材（図示せず）も備えている。
【００４１】
（透過型光偏向ディスクの構成）
図３は、図１に示す光ビーム出射装置に用いた透過型光偏向ディスクによって光が偏向される様子を示す説明図である。図４（ａ）〜（ｅ）はそれぞれ、図１に示す透過型光偏向ディスクの平面図、Ｄ１−Ｄ１断面図、Ｄ２−Ｄ２断面図、Ｄ３−Ｄ３断面図、およびＷ−Ｗ断面図である。図５（ａ）、（ｂ）はそれぞれ、図１に示す光ビーム出射装置に用いた透過型光偏向ディスクによって光がＹ方向およびＸ方向に偏向される様子を示す説明図、およびＹ方向に偏向される様子を示す説明図である。
【００４２】
図２に示すように、透過型光偏向ディスク３０は、ディスク面が放射状の複数の光偏向領域３２に分割されたトラック３５を備えており、このトラック３５において、複数の光偏向領域３２のそれぞれには、一定角度で傾斜する傾斜面３３が形成されている。
【００４３】
詳しくは後述するが、図３に示すように、複数の光偏向領域３２は各々、２次元座標（ＸＹ座標）上の異なる位置に向けて光ビームＬを出射可能である。傾斜面３３は、透過型光偏向ディスク３０の出射側のディスク面にのみ形成され、かかるディスク面は、偏向ディスク面として機能する。
【００４４】
このような透過型光偏向ディスク３０を構成するにあたって、図４（ａ）に示すように、透過型光偏向ディスク３０の偏向ディスク面（上面）において、複数の光偏向領域３２には、傾斜面３３が半径方向のみに傾いた領域と、傾斜面３３が周方向のみに傾いた領域と、傾斜面３３が半径方向および周方向の双方に傾いた領域とが含まれている。さらに、複数の傾斜面３３には、傾斜角度が０°の領域も含まれている。
【００４５】
すなわち、透過型光偏向ディスク３０のＤ１−Ｄ１断面、Ｄ２−Ｄ２断面、およびＤ３−Ｄ３断面は各々、図４（ｂ）、（ｃ）、（ｄ）に示すように表され、傾斜面３３は、複数の光偏向領域３２の各々で半径方向に向かって傾斜し、各光偏向領域３２の断面は楔形状になっている。このため、各光偏向領域３２の半径方向における断面は、内周縁と外周縁が略平行な略台形状に形成されている。ここで、周方向に並ぶ光偏向領域３２では、傾斜面３３の傾斜角度が漸増あるいは漸減している。
【００４６】
このように構成した透過型光偏向ディスク３０において、下面側のディスク面から入射した光は、透過型光偏向ディスク３０を透過して上面側のディスク面から光ビームＬとして出射される際、図３および図５（ａ）に示すように、光偏向領域３２の傾斜面３３でＸ方向に屈折される。ここで、透過型光偏向ディスク３０は駆動モータ５０により回転しているため、透過型光偏向ディスク３０への入射位置が周方向に移動する。また、各光偏向領域３２において、傾斜面３３の半径方向における傾斜角度は、光偏向領域３２によって相違している。このため、透過型光偏向ディスク３０に入射した光は、いずれの光偏向領域３２から出射されるかによってＸ方向における出射方向が変化する。すなわち、傾斜面３３の所定位置および出射光をＸＺ平面に投影したときの傾斜面３３の傾斜角度をθxｗ、透過型光偏向ディスク３０から出射される光ビームの走査角度をθxｓ、透過型光偏向ディスク３０の屈折率をｎとしたとき、
ｓｉｎ（θxｗ＋θxｓ）＝ｎ・ｓｉｎθxｗ
の関係を満足するように、傾斜面３３が形成されている。このため、透過型光偏向ディスク３０に入射した光は、ＸＺ平面に投影したとき、Ｘ方向において所定の方向に出射されることになる。
【００４７】
また、透過型光偏向ディスク３０のＷ−Ｗ断面は、図４（ｅ）に示すように表される。すなわち、傾斜面３３は、複数の光偏向領域３２の各々で周方向に向かって傾斜し、各光偏向領域３２の断面は楔形状になっている。このため、各光偏向領域３２の周方向における断面は、隣接する光偏向領域との境界が略平行な略台形状に形成されている。ここで、光偏向領域３２では、傾斜面３３の傾斜角度が周方向に向かって漸増あるいは漸減している。
【００４８】
このように構成した透過型光偏向ディスク３０において、下面側のディスク面から入射した光は、透過型光偏向ディスク３０を透過して上面側のディスク面から出射される際、図３および図５（ｂ）に示すように、光偏向領域３２の傾斜面３３でＹ方向に屈折される。ここで、透過型光偏向ディスク３０は駆動モータ５０により回転しているため、透過型光偏向ディスク３０への入射位置が移動する。また、各光偏向領域３２において、傾斜面３３の周方向における傾斜角度は、光偏向領域３２によって相違している。このため、透過型光偏向ディスク３０に入射した光は、いずれの光偏向領域３２から出射されるかによってＹ方向における出射方向が変化する。すなわち、傾斜面３３の所定位置および出射光をＹＺ平面に投影したときの傾斜面３３の傾斜角度をθyｗ、透過型光偏向ディスク３０から出射される光ビームの走査角度をθyｓ、透過型光偏向ディスク３０の屈折率をｎとしたとき、
ｓｉｎ（θyｗ＋θyｓ）＝ｎ・ｓｉｎθyｗ
の関係を満足するように、傾斜面３３が形成されているため、透過型光偏向ディスク３０に入射した光は、ＹＺ平面に投影したとき、Ｙ方向において所定の方向に出射されることになる。
【００４９】
それ故、光偏向領域３２は各々、２次元座標（ＸＹ座標）上の異なる位置に向けて光を出射することになる。
【００５０】
ここで、光ビームは、１つの光偏向領域３２の半径方向における中心位置に入射することが好ましい。また、光ビームは、光偏向領域３２での周方向におけるビームサイズが３ｍｍ以下であることが好ましく、周方向および半径方向のビームサイズのいずれもが３ｍｍ以下であることが好ましい。また、透過型光偏向ディスク３０のディスク面には、薄膜あるいは微細構造などの反射防止処理が施されていることが好ましく、このように構成すると、レーザの出力ばらつきの原因となるレーザへの戻り光を非常に少なくすることができ、光量のロスも少ない。
【００５１】
このような構成の透過型光偏向ディスク３０は、透明な樹脂を直接、切削などの超精密加工で製造しても良いし、製造コストを考慮して、金型を用いて製造することが好ましい。その際、切削加工で、透過型光偏向ディスク３０あるいは、金型を製造する場合には、切削加工に用いる刃先の進む方向を透過型光偏向ディスク３０の径方向に設定して、１つの傾斜面３３を形成するとともに、刃先の傾き方向を変えつつ、透過型光偏向ディスク３０を円周方向に所定の角度回転させて隣接する光偏向領域３２の傾斜面３３を形成してやれば良い。すなわち、ディスクを回転→半径方向へバイトを動かして切削→ディスク回転→半径方向へ切削を繰り返す方法を採用する。このときディスクの回転角度は、入射光のビーム径に対して１／３以下に相当する角度である。このような加工方法を採用することにより、幾何学的に実現しないような面形状を近似的に（ビームに対して無視できる範囲で）簡単に実現することができる。従来のポリゴンミラーなどと比較して平面状の加工であり金型の作製もしやすく、成形も歪やヒケ等が起こりにくく、比較的容易である。
【００５２】
また、本形態では、透過型光偏向ディスク３０の片面のみが偏向ディスク面になっているので、駒加工が１面のみで良いなど、金型の作成が容易である。また、素子素材をそのまま加工する場合も、一方のみの加工でよいため、固定もしやすく加工も容易である。
【００５３】
いずれの場合も、透過型光偏向ディスク３０を樹脂製とすれば、安価に製造でき、かつ、軽量化を図ることができる。透過型光偏向ディスク３０を樹脂製とした場合も、室温に対して±５０℃程度の温度変化は問題なく、波長変化と屈折率変化を考慮すると出射角の変化は１％以下に抑えることができる。また、ポリゴンミラーなどと比較して平面状の加工であり金型の作製もしやすく、成形も歪やヒケなどが起こりにくく、比較的容易である。しかも、金型あるいは素材の切削加工では、フライカットあるいはシェイパーカットで刃先が進む方向が斜面のため、ＮＣデータ上で角度と面粗度の精度を出すことができる。一方、円周方向の断面が楔の場合は、刃先の傾き角度で楔角が決まり、刃先の精度で面粗度が決まるため、刃先が高精度に仕上げられたバイトを使用すれば、高精度加工が可能である。
【００５４】
なお、透過型光偏向ディスク３０をガラスで作製すればさらに±５０℃以上の温度変化や高温でも安定性能が得られる。
【００５５】
いずれも場合も、透過型光偏向ディスク３０では、温度変化による線膨張は主に放射状の膨張となり傾斜角の変化は少ない。
【００５６】
（本形態の作用、効果）
以上説明したように、本形態の光ビーム出射装置１においては、透過型光偏向ディスク３０を回転させた状態で、光源装置１０から出射された光ビームを透過型光偏向ディスク３０に入射させる。その結果、光ビームは、透過型光偏向ディスク３０の周方向の所定位置に入射した後、透過して上面側のディスク面から出射される際、光偏向領域３２の傾斜面３３の傾斜角度に対応する方向に出射される。ここで、複数の光偏向領域３２には、傾斜面３３が半径方向のみに傾いた領域と、傾斜面３３が周方向のみに傾いた領域と、傾斜面３３が半径方向および周方向の双方に傾いた領域と、傾斜角度が０°の領域とが含まれているため、複数の光偏向領域３２は各々、２次元座標（ＸＹ座標）上の異なる位置に向けて光を出射する。それ故、本形態の光ビーム出射装置１においては、光ビームを主走査方向および副走査方向に出射するための特別の機構を設けなくても、光ビームを２次元座標上の所定位置に出射できる。
【００５７】
また、本形態の光ビーム出射装置１では、透過型光偏向ディスク３０が扁平な円盤状であるため、装置の薄型化を図ることができる。さらに、光源装置１０から出射された光ビームが透過型光偏向ディスク３０を透過するように構成されているため、駆動モータ５０で回転させた透過型光偏向ディスク３０に回転ぶれや面ぶれが生じても屈折角はほとんど変化しない。そのため、光ビームの走査ジッタが良好である。さらにまた、透過型光偏向ディスク３０は樹脂で形成されているため、透過型光偏向ディスク３０の生産性が高いとともに、光ビーム出射装置１の軽量化、低コスト化が可能である。しかも、例えば±５０℃程度の温度変動があっても、走査角度の変動率は１％以下であり、走査性能への影響はほとんどない。
【００５８】
さらに、透過型光偏向ディスク３０に回転運動を行わせればよいため、ミラー駆動方式やレンズ駆動方式の反復運動と比較して、耐久性も高く、消費電力が極めて低く、回転機構による発熱も極めて少ない。
【００５９】
［実施の形態２］
図６（ａ）、（ｂ）は、本発明を適用した光ビーム出射装置を備えた画像形成装置によって描かれる画像の説明図、およびかかる画像を描くための透過型光偏向ディスクの説明図である。なお、本形態の画像形成装置に用いたビーム出射装置の基本的な構成は、実施の形態１で説明したものと同様であるため、共通する部分については同一の符号を付してそれらの詳細な説明を省略する。
【００６０】
図６（ａ）に示すように、本形態の画像形成装置は、例えば、ＸＹ座標で表される平面上に文字「光」なる画像に沿って光ビームを出射するものであり、図６（ｂ）に示すように、実施の形態１で説明した透過型光偏向ディスク３０が用いられている。この透過型光偏向ディスク３０の偏向ディスク面には、複数の光偏向領域３２が周方向に配列されたトラック３５が形成されている。ここで、光偏向領域３２の間には、光透過性のない、あるいは光散乱性を備えたマスク領域３４が形成されており、図６（ｂ）には、マスク領域３４に対して右上がりの斜線を付してある。また、透過型光偏向ディスク３０において、光源装置１０から出射された光ビームが入射する位置は、内側に右下がりの斜線を付した円Ｌ１０で表してある。
【００６１】
このような画像形成装置において、図６（ａ）に示す「光」なる文字は、ＸＹ座標上に配置された多数のドットで構成されており、例えば、ドットＡ１、Ｃ９、Ｂ１の座標は各々、（−７，０）、（０，９）、（５．５，６．７）で表される。ここで、ドットを結ぶ線は、光ビームが照射される順を示している。
【００６２】
このような文字画像をスクリーンなどの被照射面に形成するにあたって、本形態では、透過型光偏向ディスク３０の各光偏向領域３２には、円Ｌ１０で示す光ビームの入射位置を原点とするＸＹ座標上の所定位置に光ビームを出射可能な傾斜面が形成されている。図６（ｂ）には、各光偏向領域３２が円Ｌ１０で示す光源装置１０からの光ビームの入射位置に到達したときに光を出射する方向を各光偏向領域３２に付した矢印で示してある。ここではスポットの並び（点列）での描画になっているが、分割を細かくすることによって、滑らかな線での描画も可能である。
【００６３】
このように構成した画像形成装置では、透過型光偏向ディスク３０の偏向ディスク面には、光ビームの出射パターンに応じたトラック３５が形成されている。このため、透過型光偏向ディスク３０を回転させた状態で、光源装置１０から出射された光ビームを透過型光偏向ディスク３０に入射させると、光ビームは、透過型光偏向ディスク３０の周方向の所定位置に入射した後、透過して上面側のディスク面から出射される際、光偏向領域３２の傾斜面３３の傾斜角度に対応する方向に出射される。ここで、複数の光偏向領域３２には、傾斜面３３が半径方向のみに傾いた領域と、傾斜面３３が周方向のみに傾いた領域と、傾斜面３３が半径方向および周方向の双方に傾いた領域と、傾斜角度が０°の領域とが含まれているため、複数の光偏向領域３２は各々、２次元座標（ＸＹ座標）上の異なる位置に向けて光を出射する。それ故、本形態の光ビーム出射装置１においては、光ビームを主走査方向および副走査方向に出射するための特別の機構を設けなくても、光ビームを２次元座標上の所定位置に出射でき、文字「光」なる画像を形成することができ、広告や宣伝やデモンストレーションやイルミネーションなどに利用することができる。
【００６４】
［実施の形態３］
図７（ａ）、（ｂ）は、本発明を適用した光ビーム出射装置を備えた画像形成装置によって描かれる画像の説明図、およびかかる画像を描くための透過型光偏向ディスクの説明図である。なお、本形態の画像形成装置に用いたビーム出射装置の基本的な構成は、実施の形態１、２で説明したものと同様であるため、共通する部分については同一の符号を付してそれらの詳細な説明を省略する。
【００６５】
図７（ａ）において、本形態の画像形成装置は、例えば、ＸＹ座標で表されるスクリーンなどの被照射面（平面）上に、例えば記号「△」なる画像に沿って光ビームを出射するものであり、図７（ｂ）に示すように、実施の形態１で説明した透過型光偏向ディスク３０が用いられている。この透過型光偏向ディスク３０の偏向ディスク面には、複数の光偏向領域３２が周方向に配列されたトラック３５が形成されている。ここで、光偏向領域３２の間には、光透過性のない、あるいは光散乱性を備えたマスク領域３４が形成されており、図７（ｂ）には、マスク領域３４に対して右上がりの斜線を付してある。また、透過型光偏向ディスク３０において、光源装置１０から出射された光ビームが入射する位置は、内側に右下がりの斜線を付した円Ｌ１０で表してある。
【００６６】
このような画像形成装置において、透過型光偏向ディスク３０の各光偏向領域３２には、円Ｌ１０で示す光ビームの入射位置を原点とするＸＹ座標で示される各マトリクス状の位置（座標位置（ｘ，ｙ））の各々に光ビームを出射可能な傾斜面３３が形成されている。すなわち、透過型光偏向ディスク３０の各光偏向領域３２には、座標（−１０，−１０）、（−１０，−９）・・・（０，０）・・・（１０，１０）に向けて光ビームを出射可能な傾斜面３３が形成されている。
【００６７】
このように構成した画像形成装置では、透過型光偏向ディスク３０を回転させた状態で、制御装置（図示せず）による制御の下、光源装置１０は、所定のタイミングで光ビームを透過型光偏向ディスク３０に向けて出射する。その結果、光ビームは、透過型光偏向ディスク３０の周方向の所定位置に選択的に入射した後、透過して上面側のディスク面から出射される際、光偏向領域３２の傾斜面３３の傾斜角度に対応する方向に出射される。ここで、複数の光偏向領域３２には、傾斜面３３が半径方向のみに傾いた領域と、傾斜面３３が周方向のみに傾いた領域と、傾斜面３３が半径方向および周方向の双方に傾いた領域と、傾斜角度が０°の領域とが含まれているため、複数の光偏向領域３２は各々、２次元座標（ＸＹ座標）上の異なる位置に向けて光を出射する。それ故、本形態の光ビーム出射装置１においては、光ビームを主走査方向および副走査方向に出射するための特別の機構を設けなくても、光ビームを２次元座標上の所定位置に出射できる。
【００６８】
また、光源装置１０から透過型光偏向ディスク３０に向けて光ビームを出射するタイミングを変更すれば、記号「△」に代えて、他の画像を表示することができる。
【００６９】
［実施の形態４］
図８は、本発明の実施の形態４に係る光ビーム出射装置の説明図である。上記実施の形態では、透過型光偏向ディスク３０には、入射した光ビームをその入射位置により異なる方向に向けて出射可能なトラック３５が１つ形成され、光源装置１０が１つ構成されている例であったが、図８に右下がりの斜線を付した円Ｌで模式的に示すように、周方向の異なる位置に光源装置１０を２つ、あるいはそれ以上、配置してもよい。
【００７０】
このように構成すれば、いずれの光源装置１０を用いるかによって、画像の形成位置をＸＹ座標上においてずらすことができる。また、光偏向領域３２に形成する傾斜面３３の傾斜角度や方向を光源装置１０の位置に対応させておき、透過型光偏向ディスク３０の回転と、複数の光源装置１０の各々からの光の出射タイミングを同期させれば、透過型光偏向ディスク３０から出射される複数の光ビームにより画像を形成することもできる。
【００７１】
［実施の形態５］
図９（ａ）、（ｂ）は、本発明の実施の形態５に係る光ビーム出射装置の説明図である。透過型光偏向ディスク３０の周方向の異なる位置に光ビームＬを入射させるにあたっては、図９（ａ）、（ｂ）に右下がりの斜線を付した円Ｌで模式的に示すように、１つの光源装置１０によって、例えば、トラック３５の周方向の２箇所に光ビームを照射してもよい。この場合、光源装置１０には、発光源２５からの出射光を２つの光ビームに分離する光路分離素子２６と、光路分離素子２６で分離された２つの光ビームのうちの一方をトラック３５上の所定位置に向けて反射する全反射ミラー２７とを設ければよい。このように構成した場合には、２つの光偏向領域３２から同時に光ビームが出射されるので、これら２つの光ビームを合成して１つの画像を表示させることができる。
【００７２】
［実施の形態６］
図１０は、本発明の実施の形態６に係る光ビーム出射装置の説明図である。透過型光偏向ディスク３０の周方向の異なる位置に光ビームＬを入射させるにあたっては、図１０に右下がりの斜線を付した円Ｌで模式的に示すように、１つの光源装置１０がトラック３５の周方向の２箇所に光ビームを照射するように、光源装置１０を回転駆動する光源駆動機構（矢印Ｓ１あるいは矢印Ｓ２で示す）、または光源装置１０を直線駆動する光源駆動機構（矢印Ｔ１で示す）を設けてもよい。
【００７３】
［実施の形態７］
図１１は、本発明の実施の形態７に係る光ビーム出射装置、およびこの光ビーム装置に用いられる別の透過型光偏向ディスクの説明図である。上記実施の形態では、透過型光偏向ディスク３０には、入射した光ビームをその入射位置により異なる方向に向けて出射可能なトラック３５が１つ形成され、光源装置１０が１つ構成されている例であったが、図１１に示すように、透過型光偏向ディスク３０には、入射した光ビームをその入射位置により異なる方向に向けて出射可能なトラック３５を複数、同心状に形成しておき、光源装置１０については、右下がりの斜線を付した円Ｌで模式的に示すように、複数のトラック３５の各々に光ビームを照射するように複数、構成してもよい。このように構成した場合、複数のトラック３５から出射される光ビームを合成して１つの画像を形成することができるとともに、ＸＹ座標上の異なる位置に複数の画像を形成することもできる。
【００７４】
［実施の形態８］
図１２（ａ）、（ｂ）は、本発明の実施の形態８に係る光ビーム出射装置の説明図である。透過型光偏向ディスク３０の複数のトラック３５の各々に光ビームＬを入射させるにあたっては、図１２（ａ）、（ｂ）に右下がりの斜線を付した円Ｌで模式的に示すように、１つの光源装置１０によって、例えば、２つのトラック３５の各々に光ビームを照射してもよい。この場合、光源装置１０には、発光源２５からの出射光を２つの光ビームに分離する光路分離素子２６と、光路分離素子２６で分離された２つの光ビームのうちの一方を一方のトラック３５に向けて反射する全反射ミラー２７とを設ければよい。このように構成した場合には、２つの光偏向領域３２から同時に光ビームが出射されるので、これら２つの光ビームを合成して１つの画像を表示させることができる。
【００７５】
［実施の形態９］
図１３は、本発明の実施の形態９に係る光ビーム出射装置の説明図である。透過型光偏向ディスク３０の２つのトラック３５の各々に光ビームＬを入射させるにあたっては、図１３に右下がりの斜線を付した円Ｌで模式的に示すように、１つの光源装置１０が２つのトラック３５の各々に光ビームを照射するように、光源装置１０を回転駆動する光源駆動機構（矢印Ｓ３で示す）、あるいは、光源装置１０を直線駆動する光源駆動機構（矢印Ｔ２で示す）を設けてもよい。
【００７６】
［実施の形態１０］
図１４は、本発明の実施の形態１０に係る光ビーム出射装置に用いられるさらに別の透過型光偏向ディスクの説明図である。上記実施の形態に係る透過型光偏向ディスク３０では、周方向に複数の光偏向領域３２が形成され、これらの光偏向領域３２の各々に傾斜面３３が形成されていたが、図１４に示すように、周方向に連続した傾斜面３３が形成され、この傾斜面３３は、半径方向に対する傾斜角度、および周方向に対する傾斜角度が周方向で連続的に変化している。このように構成した透過型光偏向ディスク３０は、図１４に示すＤ１−Ｄ１線、Ｄ２−Ｄ２線、Ｄ３−Ｄ３線で切断したときの断面は、概ね、図４（ｂ）、（ｃ）、（ｄ）に示すように表される。このような透過型光偏向ディスク３０を用いれば、原理的には分解能を無限に高くすることができる。なお、半径方向に切削する加工方法を採用することにより、幾何学的に実現しないような面形状を近似的に、すなわち、ビームに対して無視できる範囲で形成してもよい。
【００７７】
［その他の実施の形態］
上述した形態は、本発明の好適な形態の一例ではあるが、これに限定されるものではなく本発明の要旨を変更しない範囲において種々変形可能である。
【００７８】
例えば、光源装置１０は、発光源２０と、発光源２０から出射された光ビームをコリメート光として偏向ディスク面に導くコリメートレンズ２５とを備えている構成であったが、コリメートレンズ２５に代えて、発光源２０から出射された光ビームの垂直方向、水平方向、あるいは垂直方向および水平方向の両方で収束光として偏向ディスク面に導く集光レンズを用いてもよい。この場合、収束光は、発光源２０から出射された光ビームの垂直方向、水平方向、あるいは垂直方向および水平方向の両方において偏向ディスク面あるいは偏向ディスク面近傍に焦点を有していることが好ましい。このように構成すると、光偏向領域３２が小さく済むので、１枚の透過型光偏向ディスク３０に多数の光偏向領域３２を形成することができる。また、光偏向領域３２の数が等しければ、１枚の透過型光偏向ディスク３０の小型化を図ることができる。この場合も、光ビームは、光偏向領域３２での周方向におけるビームサイズが３ｍｍ以下であることが好ましく、周方向および半径方向のビームサイズのいずれもが３ｍｍ以下であることが好ましい。
【００７９】
例えば、上記実施の形態では、傾斜面３３は、透過型光偏向ディスク３０の出射側の面にのみ形成されていたが、入射側の面にのみ形成するようにしても良い。また、出射側の面と入射側の面の両面に傾斜面が形成されても良い。両面に傾斜面を形成する場合には、例えば、入射側の面の傾斜角度は、全ての光偏向領域３２で同じ角度としてやれば良い。
【００８０】
また、上記実施の形態では、透過型光偏向ディスク３０を樹脂で形成したが、透過型光偏向ディスク３０をガラスで形成しても良い。この場合には、温度変動の影響をほとんど受けないため、温度特性が安定するとともに、高温環境下でも光ビーム出射装置の使用が可能となる。
【００８１】
さらに、位置検出手段を備えていなくとも良い。上述した形態のように、透過型光偏向ディスク３０が、円周方向に略等角度間隔で分割された複数の光偏向領域３２から構成されている場合には、モータ５０が一定速度で回転するように制御され、光源装置１０から一定間隔でパルス状の光ビームが出射されれば、適切な光ビームの走査を行うことは可能である。
【００８２】
また、ミラー５を設けずに、光源装置１０から透過型光偏向ディスク３０のディスク面に向かって光ビームを出射し、直接、透過型光偏向ディスク３０に入射するように構成しても良い。また、ミラー５を設けた場合に、光源装置１０を透過型光偏向ディスク３０の斜め下方に配置して、透過型光偏向ディスク３０の斜め下方から光ビームが、透過型光偏向ディスク３０に入射するように構成してやっても良い。
【００８３】
さらに、上記実施の形態では、光源装置１０から出射された光ビームが透過型光偏向ディスク３０を透過するように構成されていたが、光源装置１０から出射された光ビームが、反射型光偏向ディスクで反射されるように構成しても良い。この場合には、例えば、図４を参照して説明した光偏向ディスク３０の上面あるいは下面を反射面にしたものを反射型光偏向ディスクとして用いればよい。
【００８４】
さらにまた、上記実施の形態では、円板状の透過型光偏向ディスク３０を回転させたが、入射した光ビームをその入射位置により２次元座標上の異なる位置に向けて出射可能な偏向面を備えた光偏向部材を駆動機構によって直線移動させることにより、光源装置から出射された光ビームの光偏向部材への入射位置を切り換えるように構成してもよい。
【図面の簡単な説明】
【００８５】
【図１】本発明の実施の形態１に係る光ビーム出射装置の概略構成を示す斜視図である。
【図２】図１に示す光ビーム出射装置の概略構成を模式的に示す斜視図である。
【図３】図１に示す光ビーム出射装置に用いた透過型光偏向ディスクによって光が偏向される様子を示す説明図である。
【図４】（ａ）〜（ｅ）はそれぞれ、図１に示す透過型光偏向ディスクの平面図、Ｄ１−Ｄ１断面図、Ｄ２−Ｄ２断面図、Ｄ３−Ｄ３断面図、およびＷ−Ｗ断面図である。
【図５】（ａ）、（ｂ）はそれぞれ、図１に示す光ビーム出射装置に用いた透過型光偏向ディスクによって光がＹ方向およびＸ方向に偏向される様子を示す説明図、およびＹ方向に偏向される様子を示す説明図である。
【図６】（ａ）、（ｂ）はそれぞれ、本発明の実施の形態２に係る光ビーム出射装置を備えた画像形成装置によって描かれる画像の説明図、およびかかる画像を描くための透過型光偏向ディスクの説明図である。
【図７】（ａ）、（ｂ）はそれぞれ、本発明の実施の形態３に係る光ビーム出射装置を備えた画像形成装置によって描かれる画像の説明図、およびかかる画像を描くための透過型光偏向ディスクの説明図である。
【図８】本発明の実施の形態４に係る光ビーム出射装置の説明図である。
【図９】（ａ）、（ｂ）は、本発明の実施の形態５に係る光ビーム出射装置の説明図である。
【図１０】本発明の実施の形態６に係る光ビーム出射装置の説明図である。
【図１１】本発明の実施の形態７に係る光ビーム出射装置、およびこの光ビーム装置に用いられる別の透過型光偏向ディスクの説明図である。
【図１２】（ａ）、（ｂ）は、本発明の実施の形態８に係る光ビーム出射装置の説明図である。
【図１３】本発明の実施の形態９に係る光ビーム出射装置の説明図である。
【図１４】本発明の実施の形態１０に係る光ビーム出射装置に用いられるさらに別の透過型光偏向ディスクの説明図である。
【符号の説明】
【００８６】
１  光ビーム出射装置
６  光学式エンコーダ
１０  光源装置
２０  発光源
２５  コリメートレンズ
３０  透過型光偏向ディスク３０（光偏向ディスク／光偏向部材）
３２  光偏向領域
３３  傾斜面
３５  トラック
５０  モータ（回転駆動機構／駆動機構）
【図１】
2007024928.tif 000003
【図２】
2007024928.tif 000004
【図３】
2007024928.tif 000005
【図４】
2007024928.tif 000006
【図５】
2007024928.tif 000007
【図６】
2007024928.tif 000008
【図７】
2007024928.tif 000009
【図８】
2007024928.tif 000010
【図９】
2007024928.tif 000011
【図１０】
2007024928.tif 000012
【図１１】
2007024928.tif 000013
【図１２】
2007024928.tif 000014
【図１３】
2007024928.tif 000015
【図１４】
2007024928.tif 000016